(57)【要約】      （修正有）【課題】球体循環装置において，球体を回転輪に落下させて得るエネルギ−で，球体を浮上させる浮上筒に送り込み，更に他の装置を駆動するエネルギ−を得ることができるようにする。【解決手段】回転輪３の落下口１７から，浮上筒２１の間に，球体２の受払い機を設けて，球体２を送り込む浮上筒２１の前に，アプロ−チ室２３を設けて，両者の間に閉開弁Ａ２４と閉開弁Ｂ２５を設け，球体２を送り込むときは，先ず閉開弁Ａ２４を作動させて，アプロ−チ室２３と，浮上筒２１の間を閉として，浮上筒２１内の強い水圧を遮断させて，球体２をアプロ−チ室２３に送り込み，次に閉開弁２４，２５を開として，球体２を浮上筒２１に浮上させる運動を連続して行なう。【選択図】図１
2015166594.tif 000002
【特許請求の範囲】
【請求項１】
支援球体を具備した球体循環装置において、球体を受け払いするピストンを駆動する，コネクチングロットの軸承を二芯型の楕円型にして、上昇下降の出発時，瞬時の運動停止を生じさせて、運動の正確性を実現する。
【発明の詳細な説明】
【技術分野】
【０００１】  本発明は，支援球体を備えた球体循環装置に関するものである。
【背景技術】
【０００２】  従来、本装置は、エネルギ−保存則（熱力学第１法則）に反して実現不可能と云われている。
【発明の概要】
【発明が解決しようとする課題】
【０００３】  第一の課題として本装置は、回転輪３を駆動して落下した球体２又は円盤、（以下球体）を、蓄水浮上筒２１（以下浮上筒）に送り込むことが、次のような理由で不可能とされていた、それは駆動する回転輪３に移乗した全球体２の重量と、浮上筒２１内の全球体２数＋畜水１（以下水）では、浮上筒２１の方が数倍の重量である。【０００４】  第二の課題として本装置は、本装置を運転させるピストンＡ１９、及びＢ２０を駆動するに要するエネルギ−、開閉弁Ａ２４、及びＢ２５を駆動に要するエネルギ−を得ることは、エネルギ−保存則に反するものであり不可能である。
【課題を解決するための手段】
【０００５】  第一の手段として本発明は、畜水浮上筒の前に、アプロ−チ室を設けて、球体を先ずアプロ−チ室に送り込み、次ぎに蓄水浮上筒に浮上させるように設ける。【０００６】  第二の手段として（１）水の中ではでは自己浮上不可能な、重い球体にする。【０００７】重い球体を浮上させるために、浮上専門の、支援球体を設けて球体の浮上を支援させる。
【発明の効果】
【０００８】  本発明は，古来より用いられた水車の現代版であり，木材を金属にしたので耐久性，効率，運転状態が外界に左右されることもなく定速回転が実施され，然程重くない球体１が回転輪に移乗するもので、設計、材料、製造工作等により、振動、騒音の発生も押さえられ、原材料、排出物の搬入、搬出のための諸々の設備も不要なので、居住地に近接して設置出来、天候、昼夜の別なく、定速回転するので、例えば発電に使用すれば、ボルト、アンペアも一定で、電気の三大短所、蓄電、変電、送電の諸設備も殆ど不要であり、従って電気料金も劇的に安価になる。
【図面の簡単な説明】
【０００９】
【図１】  本発明の実施形態を示す断面図。
【図２】  同変速装置の説明図。
【図３】  同閉開弁Ａ，Ｂを斜め上からの外観図。
【発明を実施するための形態】
【００１０】  以下，本発明の実施の形態を図１〜図３に基づいて説明する。
［図１］  本発明の一部を省略した断面図。
［図２］  同変速装置の一部を省略した説明図。
［図３］  同閉開弁Ａ，Ｂを斜め上からの外観図。
【発明を実施するための形態】
【００１１】  以下、本発明の実施の形態を図１、図２に基づいて説明する。
【００１２】  図１においては回転輪３で、球体２を受入れる球体収容穴３０と、プリ−Ａ５、Ｂ６、Ｃ７を設ける。
【００１３】  １９は、球体２を運ぶピストンＡ１９で、落下筒２１の球体２を浮上筒２１まで運ぶ。
【００１４】  ２４，２５は閉開弁で、回転輪３と同調され、浮上筒２１のアプロ−チ室２３をつくる働きをする。
【００１５】  ２１は浮上筒で、筒内に一定水位の蓄水１を満たし、球体２を浮上させる所。
【００１６】  ２０はピストンＢで、球体２を背負つた支援球体２２の運搬を勤め、浮上筒２１と支援球２  と落下筒１７間を往復する。
【００１７】  ピストンＡ１９，Ｂ２０が上死点，下死点で各々の仕事が完全にできるように，ピストンに間歇運動させるように次のように施す。
【００１８】  コンロット３９のピストンピン穴４０を二芯型の楕円型にする。
【００１９】  以上のように設けると，コンロット３９が上死点に向かうとき楕円型のピストンピン穴４０の上端に接合して行ない，下死点に向かうときは楕円型ピストンピン穴４０の下端に接合するので，この間タイムラグが生じる。
【００２０】  この運動はピストンＡ１９は下死点で寸時の停滞して溜水が一杯の球体収容穴３０にも的確に収容される，上死点でも寸時停滞して球体を正確に投下できる。
【００２１】  ピストンＢ２０についても，全く同様の運動が実施される。
【００２２】  １１は変速機で、回転輪３の回転を変速するために設けるもので、比較的大なる変速を行なうので、別紙に［第三図］を設けて説明する。
【００２３】  上述のように施した本装置は，球体２を回転輪３の上部の球体収容穴３０に移乗させて，回転輪３を駆動ぢて落下筒１７を経て落下する球体２は，ピストンＡ１９にある球体収容穴３０に収容される。
【００２４】  球体２を収容したピストンＡ１９は、傘歯車を施して設けた，クランク３８の上昇運動で浮上筒２１に送られるも重いので浮上出来ないで落下する，そこでピストンＢ２０の出番となる。
【００２５】    ピストンＢ２０は，ピストンＡ１９と交差するように運動して，最も上昇した位置で  支援球体２２を支援球体収容穴３２に収容して下降してくる，このとき球体２は支援球体２２を，支援球体収容穴３２に収容して下降してくる，このとき球体２は支援球体２２が収容されている穴に落ちるも，支援球体２２は浮上筒２１の下に位置して水１が充満しているので，支援球体２２は球体２を背負うつてアプロ−チ室２３に浮上する。
【００２６】  重い球体２を背負うつた支援球体２２は，開閉弁Ａ２４，Ｂ２５の作動により，球体２を背負うつて浮上筒２１上端めざして，上昇途中に球体落下筒１７で球体２を回転輪３に落下させて回転輪３を回転させる。
【００２７】  他方支援球体２２は浮上筒２１に充満しておりこれらの浮上力を結集しで浮上筒２１の水位を越えて支援球体を押上げて，支援球落下筒３１を落下させてシリンダ−Ｂ４１に収容される。
【００２８】  シリンダ−Ｂ４１はピストンＢ２０が上死点に到達するまでに，支援球収容穴３２も浮上筒２１を通過するので，水１を一杯にされ、軽量の支援球体２２の収容は不可能なので，，ピストンＢ２０が上限時に支援球体収容穴３２の下の，シリンダ−Ｂ４１に排水口を設ける。
【００２９】  浮上筒２１の溜水１はピストンＡ１９，Ｂ２０支援球体２２等の運動で増減するので，エネルギ−損出の少ない細い吸排水パイプ３３を留水水位３５より高く設ける。
【００３０】  前述の如く，ピストンＡ１９が下死点から上死点に向かうときは，留水１を押し出し．下死点に帰るときは留水１を吸引する。
【００３１】  吸排水パイプ３３の先は給水タンクを設け、水量自動保持機を設置して給水パイプ３４を取り付ける。
【００３２】  水１が容易に入手可能ならば水１を垂れ流し，困難ならば回収して反復利用する。
【符号の説明】
【００３３】    １は  水                            ２２は  支援球体
２は  球体                          ２３は  アプロ−チ室
３は  回転輪                        ２４は  開閉弁Ａ
４は  主軸（駆動軸）                ２５は  開閉弁Ｂ
５は  プ−リ−Ａ                    ２６は  開閉弁駆動プ−リ１兼傘歯
６は  プ−リ−Ｂ                    ２７は  閉弁傘歯付駆動軸
７は  プ−リ−Ｃ                    ２８は  閉会弁穴Ａ
８は  ベルトＡ                      ２９は  開閉弁穴Ｂ
９は  ベルトＢ                      ３０は  球体収容穴
１０は  ベルトＣ                      ３１は  支援球体落下筒
１１は  変速機                        ３２は  支援球体収容穴
１２は  変速機軸                      ３３は  排水パイプ
１３は  プ−リ−Ｄ                    ３４は  給水パイプ
１４は  プ−リ−Ｅ                    ３５は  畜水水位
１５は  プ−リ−Ｆ                    ３６は  ピストンリングＡ
１６は  投下筒                        ３７は  ピストンリングＤ
１７は  落下筒                        ３８は  クランクア−ムＡ，Ｂ
１９は  ピストンＡ                    ３９は  コンロットＡ，Ｂ
２０は  ピストンＢ                    ４０は  ピストンピン受け穴Ａ，Ｂ
２１は  浮上筒                        ４１は  シリンダ−Ａ，Ｂ
【発明を実施するための形態】
【００３４】落下筒１７経由で落ちてきた球体２を浮上筒２１に往復運動で反復し運ぶピストンＡ１９をシリンダ−Ｂ４１の上に設ける。
【００３５】浮上筒２１ほぼ中央辺に回転輪３側に少し斜傾してして設け（球体が常時支援球２２の回転輪３側に位置する為、球体２に代え円盤型を使用すれば不要），図右側に水１より少し上から回転輪３に斜め下に固着し，それから浮上筒２１は左側に弧を描くように曲げ，先の方はゆるやかにダウンさせ，他の邪魔をしないようにしてシリンダ−Ｂ４１に固着させる。
【００３６】回転輪３はシリンダ−Ａ４１の上に設け，上部は浮上筒２１の投入筒１６を固定し．下部は浮上筒２１側に傾斜させた落下筒１７をシリンダ−Ａ４１に固着される。
【００３７】浮上筒２１には直角に輪切りするっように開閉弁Ａ２４，Ｂ２５を設けて両者間に結合軸を設け上端部に駆動させる開閉弁傘歯付プ−リ−２７は出力軸４より駆動される。
【００３８】浮上筒２１を球体２を背負つて浮上した親子球体２＋２２は投入口で球体２を投下筒１７に投下され，回転輪３の球体収穴３０に収容され回転輪３を回転させる。
【００３９】球体２は回転輪３を回転させて落下筒１７を通りピストンＡ１９の球体収容穴３０に落ちる。
【００４０】この作動を確実に行なう目的で，ピストンＡ１９に間歇運動させる目的で次のような工作を施す。
【００４１】  ピストンＡ１９のコンロト３９のピストンピン孔４０を中心線に平行して二芯円を描くような楕円形にする。
【００４２】  その効果は，クランク３８上限点に進行するとき，ピストンピン穴４０の上端部を押して行き上限点に到達するので，ピストンピン穴４０は下端側に空白部をつくる，
【００４３】  やがてクランク３８，は下限点に向かい，コンロット３９もクランク３８側に円弧を描いて移動するがコンロット３９，の二芯楕円穴の下端に到達するタイムだけピストンＡ１９は一時停止して球体２の球体収容穴３０えの収容を完全に実行させる。
【００４４】  上述の作用をピストンＢ２０について同様の間歇作動を行ない，上限点では，一時停止して落下筒１７から落下する支援球体２２を確実に支援球球体収容穴３２に収容し，下限点でも，一時停止して支援球体収容穴３２の支援球２２が浮上筒２１に浮上するのを確実に実行させる。
【００４５】  ピストンＡ１９について作動中の水３との関係を説明すると，下限で球体２を球体収容穴３０に収容する．このとき球体収容穴３０には上限点で浮上筒２１の水１で満杯となり，下限で球体２を投下されるので．落下筒１７には球体２と同容積の水１がピストンＡ１９の胴体部上に残り，次の往復運動でも同様でこのために，落下筒１７下部に排水口を設け，る。
【００４６】  ピストンＢ２０についはより深刻な問題で，上限点で水中では浮上する軽い支援球体２２を収容するので水１は絶無にしなければならないので，支援球落下筒３１の真下辺に排水口Ｂを設ける。
【００４７】  ピストンＡ１９が上死点に到達するまで，浮上筒２１の水圧を排除するために，細い吸排水パイプ３３を設け，先端を自動水位調整機能をもたせた水タンクに固着させる
【００４８】  水１が容易に調達出来る場所では垂れ流し，困難な場所では回収する。
【図１】
2015166594.tif 000003
【図２】
2015166594.tif 000004
【図３】
2015166594.tif 000005